(57)【要約】【課題】レセプタクルコネクタへのプラグの接続、レセプタクルコネクタからのプラグの取り外しを簡単に行うことができると共にレセプタクルコネクタからのプラグの抜け止めを確実に行うことができるレセプタクルコネクタを提供する。【解決手段】本発明のレセプタクルコネクタ１０は、プラグ５０の第２のシェル５２に形成された孔５２Ａにホルダ１２に形成された孔１２Ｄに設けられたボール１６を第１の躯体１１の外周面に形成された凹陥部１１Ｅを介して嵌入させてプラグ５０のホルダ１２への接続を保持する第１の保持機構１７と、第１の保持機構１７と連動してプラグ５０とホルダを接続、解除可能な状態に保持する第２の保持機構１８を備えている。【選択図】図１
2011222138.tif 000002
【特許請求の範囲】
【請求項１】
プラグのピンを挿着して電気的な接続にするピン孔を有する第１の躯体と、
基端側に形成された薄肉部と段部を境に先端側に形成された肉厚部を有し且つ上記第１の躯体に従って摺動する筒状のホルダと、
上記第１の躯体の基端に形成された拡径部に一端が固定され他端が上記ホルダの先端まで延設された筒状の第１のシェルと、
上記拡径部と上記ホルダの基端部の間に弾装されたコイルスプリングと、
上記コイルスプリングによって付勢された上記ホルダの上記第１の躯体からの抜け止めとなるストップリングと、を備え、且つ、
上記プラグの第２のシェルに形成された孔に、上記ホルダに形成された孔に設けられたボールを上記第１の躯体の外周面に形成された凹陥部を介して嵌入させて上記プラグの上記ホルダへの接続を保持する第１の保持機構と、
上記第１の保持機構と連動して上記プラグと上記ホルダを接続、解除可能な状態に保持する第２の保持機構と、
を備え、
上記プラグを上記コイルスプリングの付勢力に抗して上記ホルダと上記第１のシェルの間に押し込んで上記第１の保持機構が作動して上記プラグを上記ホルダに固定すると共に上記第２の保持機構が上記プラグと上記ホルダの接続を保持し、
また、上記プラグと上記ホルダの接続を保持した状態で上記プラグを上記コイルスプリングの付勢力に抗して押し込んで上記第２の保持機構が上記プラグと上記ホルダの接続を解除すると共に上記第１の保持機構が作動して上記プラグと上記ホルダの固定を解除するレセプタクルコネクタであって、
上記第２の保持機構は、
上記ホルダの上記段部の厚肉部周面から周方向に等間隔を空けて径方向に放射状に突出するように形成された複数の放射状突起部と、
上記ホルダの厚肉部の段部から周方向に等間隔を空けて基端側に向けて突出し且つ上記放射線状突起部から周方向へ所定角度だけ偏倚させて形成された複数の第１係合突起部と、
上記第１の躯体の拡径部と上記ホルダの第１係合突起部の間に回転自在に配置され上記第１係合突起部に周方向に傾斜して形成された傾斜面と係合する複数の第２係合突起部を有する第１のリングと、
上記第１のシェルの内周面に上記第１、第２係合突起部の間に位置させて上記第２係合突起部の周方向の傾斜面と係合して上記第１のリングを周方向に回転させる第３係合突起部を有するブッシュと、を有し、
上記ブッシュの内周面には、上記複数の放射状突起部が通る複数の切欠部が形成されていると共に上記複数の第２係合突起部が出入する嵌入溝が形成されている
ことを特徴とするレセプタクルコネクタ。
【請求項２】
上記ブッシュの第３の係合突起部は、上記第１のリングの第２係合突起部に形成された傾斜面より周方向に長く形成された上記傾斜面と、この傾斜面の延長端に上記第１のリングの回転を止める係止部と、を有することを特徴とする請求項１に記載のレセプタクルコネクタ。
【請求項３】
上記複数の第１係合突起部は、少なくとも上記放射状突起部とその内側の上記第２係合突起部を合せた幅に形成されていることを特徴とする請求項１または請求項２に記載のレセプタクルコネクタ。
【請求項４】
上記第３係合突起部の係止部の突出端には上記第２係合突起部を上記嵌入溝へ誘導する傾斜面が形成されていることを特徴とする請求項２または請求項３に記載のレセプタクルコネクタ。
【請求項５】
上記第１の保持機構は、上記ホルダの厚肉部に形成された孔に出没可能に配置され且つ上記プラグに設けられた孔に嵌入して上記プラグを上記ホルダに接続するボールと、上記コイルスプリングに抗して摺動する上記ホルダの孔において上記ボールが退没するように上記第１の躯体の外周面に形成された凹陥部と、を有することを特徴とする請求項１〜請求項４のいずれか１項に記載のレセプタクルコネクタ。
【発明の詳細な説明】
【技術分野】
【０００１】
本発明は、音声・映像信号の送受信機器の接続に用いられるレセプタクルコネクタに関し、更に詳しくは、プラグを簡単に着脱することができるレセプタクルコネクタに関する。
【背景技術】
【０００２】
従来のこの種のレセプタクルコネクタとして、例えば図９に示すものが広く普及している。そこで、図９を参照しながら従来のレセプタクルコネクタを説明する。従来のレセプタクルコネクタ１は、図９に示すように音声、映像の送受信機器のパネル２に固定して使用される。音声・映像信号用の通信線３Ａ、３Ｂは、レセプタクルコネクタ１にプラグ４を差し込むことによって接続される。レセプタクルコネクタ１にプラグ４を接続するとロック機構（図示せず）が働き、レセプタクルコネクタ１とプラグ４の接続が保持され、レセプタクルコネクタ１からプラグ４が抜けなくなる。
【０００３】
プラグ４をレセプタクルコネクタ１から抜く時には、一方の手でレバー１Ａを押してロック機構を解除し、他方の手でプラグ４を掴んでレセプタクルコネクタ１から引き抜いている。
【発明の開示】
【発明が解決しようとする課題】
【０００４】
しかしながら、従来のレセプタクルコネクタ１は、一方の手でレバー１Ａを押してロック機構を解除すると共に、他方の手でプラグ４をレセプタクルコネクタ１から引き抜くため、レセプタクルコネクタ１にプラグ４を接続し、レセプタクルコネクタ１からプラグ４を引き抜く度にレセプタクルコネクタ１のレバー１Ａを操作しなければならなかった。
【０００５】
本発明は、上記課題を解決するためになされたもので、レセプタクルコネクタへのプラグの接続、レセプタクルコネクタからのプラグの取り外しを簡単に行うことができると共にレセプタクルコネクタからのプラグの抜け止めを確実に行うことができるレセプタクルコネクタを提供することを目的としている。
【課題を解決するための手段】
【０００６】
本発明の請求項１に記載のレセプタクルコネクタは、プラグのピンを挿着して電気的な接続にするピン孔を有する第１の躯体と、基端側に形成された薄肉部と段部を境に先端側に形成された肉厚部を有し且つ上記第１の躯体に従って摺動する筒状のホルダと、上記第１の躯体の基端に形成された拡径部に一端が固定され他端が上記ホルダの先端まで延設された筒状の第１のシェルと、上記拡径部と上記ホルダの基端部の間に弾装されたコイルスプリングと、上記コイルスプリングによって付勢された上記ホルダの上記第１の躯体からの抜け止めとなるストップリングと、を備え、且つ、上記プラグの第２のシェルに形成された孔に上記ホルダに形成された孔に設けられたボールを上記第１の躯体の外周面に形成された凹陥部を介して嵌入させて上記プラグの上記ホルダへの接続を保持する第１の保持機構と、上記第１の保持機構と連動して上記プラグと上記ホルダを接続、解除可能な状態に保持する第２の保持機構と、を備え、上記プラグを上記コイルスプリングの付勢力に抗して上記ホルダと上記第１のシェルの間に押し込んで上記第１の保持機構が作動して上記プラグを上記ホルダに固定すると共に上記第２の保持機構が上記プラグと上記ホルダの接続を保持し、また、上記プラグと上記ホルダの接続を保持した状態で上記プラグを上記コイルスプリングの付勢力に抗して押し込んで上記第２の保持機構が上記プラグと上記ホルダの接続を解除すると共に上記第１の保持機構が作動して上記プラグと上記ホルダの固定を解除するレセプタクルコネクタであって、上記第２の保持機構は、上記ホルダの上記段部の厚肉部周面から周方向に等間隔を空けて径方向に放射状に突出するように形成された複数の放射状突起部と、上記ホルダの厚肉部の段部から周方向に等間隔を空けて基端側に向けて突出し且つ上記放射線状突起部から周方向へ所定角度だけ偏倚させて形成された複数の第１係合突起部と、上記第１の躯体の拡径部と上記ホルダの第１係合突起部の間に回転自在に配置され上記第１係合突起部に周方向に傾斜して形成された傾斜面と係合する複数の第２係合突起部を有する第１のリングと、上記第１のシェルの内周面に上記第１、第２係合突起部の間に位置させて上記第２係合突起部の周方向の傾斜面と係合して上記第１のリングを周方向に回転させる第３係合突起部を有するブッシュと、を有し、上記ブッシュの内周面には、上記複数の放射状突起部が通る複数の切欠部が形成されていると共に上記複数の第２係合突起部が出入する嵌入溝が形成されている
ことを特徴とするものである。
【０００７】
また、本発明の請求項２に記載のレセプタクルコネクタは、請求項１に記載の発明において、上記ブッシュの第３の係合突起部は、上記第１のリングの第２係合突起部に形成された傾斜面より周方向に長く形成された上記傾斜面と、この傾斜面の延長端に上記第１のリングの回転を止める係止部と、を有することを特徴とするものである。
【０００８】
また、本発明の請求項３に記載のレセプタクルコネクタは、請求項１または請求項２に記載の発明において、上記複数の第１係合突起部は、少なくとも上記放射状突起部とその内側の上記第２係合突起部を合せた幅に形成されていることを特徴とするものである。
【０００９】
また、本発明の請求項４に記載のレセプタクルコネクタは、請求項２または請求項３に記載の発明において、上記第３係合突起部の係止部の突出端には上記第２係合突起部を上記嵌入溝へ誘導する傾斜面が形成されていることを特徴とするものである。
【００１０】
また、本発明の請求項５に記載のレセプタクルコネクタは、請求項１〜請求項４のいずれか１項に記載の発明において、上記第１の保持機構は、上記ホルダの厚肉部に形成された孔に出没可能に配置され且つ上記プラグに設けられた孔に嵌入して上記プラグを上記ホルダに接続するボールと、上記コイルスプリングに抗して摺動する上記ホルダの孔において上記ボールが退没するように上記第１の躯体の外周面に形成された凹陥部と、を有することを特徴とするものである。
【発明の効果】
【００１１】
本発明によれば、レセプタクルコネクタへのプラグの接続、レセプタクルコネクタからのプラグの取り外しを簡単に行うことができると共にレセプタクルコネクタからのプラグの抜け止めを確実に行うことができるレセプタクルコネクタを提供することができる。
【図面の簡単な説明】
【００１２】
【図１】本発明のレセプタクルコネクタの一実施形態とプラグを示す図で、軸方向の断面図である。
【図２】（ａ）〜（ｃ）はそれぞれ図１に示すレセプタクルコネクタの第１の躯体を示す図で、（ａ）はその軸方向に沿った断面を示す断面図、（ｂ）はその要部を示す側面図、（ｃ）は（ｂ）のＣ−Ｃ線に沿った断面図である。
【図３】（ａ）〜（ｃ）はそれぞれ図１に示すレセプタクルコネクタのホルダを示す図で、（ａ）はその要部を示す側面図、（ｂ）は（ａ）のＢ−Ｂ線の方向に沿った断面を示す断面図、（ｃ）は（ａ）のＣ−Ｃ線方向に沿った断面を示す断面図である。
【図４】（ａ）、（ｂ）はそれぞれ図３に示すホルダを示す図で、（ａ）は図３の（ａ）の左側からの正面図、（ｂ）は（ａ）の要部を拡大して示すホルダの説明図である。
【図５】（ａ）〜（ｃ）はそれぞれ図１に示すレセプタクルコネクタの第１のリングを示す図で、（ａ）はその側面図、（ｂ）は（ａ）の下側から見た正面図、（ｃ）は（ａ）の上側から見た正面図である。
【図６】（ａ）〜（ｄ）はそれぞれ図１に示すレセプタクルコネクタのブッシュを示す図で、（ａ）はレセプタクルコネクタの先端側から観た正面図、（ｂ）は（ａ）とは反対側から見た正面図、（ｃ）は側面の展開図、（ｄ）は（ｂ）の展開図である。
【図７】（ａ）、（ｂ）はそれぞれ図３に示すホルダと図５に示す第１のリングとの関係を説明するための説明図である。
【図８】（ａ）〜（ｃ）はそれぞれホルダ、第１のリング及びブッシュの関係を説明するための説明図である。
【図９】従来のレセプタクルコネクタとプラグの接続状態を示す側面図である。
【発明を実施するための形態】
【００１３】
以下、図１〜図８に示す実施形態に基づいて本発明のレセプタクルコネクタについて説明する。本実施形態のレセプタクルコネクタ１０は、例えば図１に示すように、プラグ５０を介して音声・映像信号用の通信回線を接続するために用いられ、後述のようにプラグ５０の接続、取り外しを簡単に行うことができるものである。
【００１４】
そこで、本実施形態のレセプタクルコネクタ１０及びプラグ５０について説明する。このレセプタクルコネクタ１０は、例えば図１に示すように、プラグ５０のピンと電気的に接続する複数（例えば、３つ）のピン孔１１Ａを有する第１の躯体１１と、基端側（同図の左側）に形成された薄肉部１２Ａと段部を境に先端側（同図の右側）に形成された肉厚部１２Ｂを有し且つ第１の躯体１１に従って摺動する筒状のホルダ１２と、第１の躯体１１の基端に形成されたフランジ部１１Ｂに一端が固定され他端がホルダ１２の先端まで延設された筒状の第１のシェル１３と、第１の躯体１１の拡径部（フランジ部）１１Ｂとホルダ１２の基端部の間に弾装されたコイルスプリング１４と、コイルスプリング１４によって付勢されたホルダ１２の第１の躯体１１からの抜けを防止するストップリング１５Ａと、を備えている。また、第１のシェル１３の先端側にはフランジ１３Ａが形成され、フランジ１３Ａを介してレセプタクルコネクタ１０をパネル（図示せず）に固定するようにしてある。
【００１５】
第１の躯体１１は図１、図２の（ａ）、（ｃ）に示すように合成樹脂によって円柱状に形成されている。３つのピン孔１１Ａは、図２の（ａ）に示すように第１の躯体１１を軸方向に互いに離間して貫通し、同図の（ｃ）に示すように先端面で三角形を形成するように配置されている。ピン孔１１Ａの内周面には鞘状の導体端子が装着され、この導体端子からケーブル（図示せず）を接続するための接続用ピン１１Ｃ（図１参照１）が突出している。第１の躯体１１は図１の（ａ）に示すようにホルダ１２よって被覆され、ホルダ１２が第１の躯体１１の外周面を摺動する。
【００１６】
また、第１の躯体１１の周面の先端部には図２の（ｂ）、（ｃ）に示すように筋状の突起１１Ｄが軸方向に沿って形成され、また、ホルダ１２の内周面には図３の（ｂ）に示すように先端から中ほどまで軸方向に沿って延びる筋状の溝１２Ｃが筋状の突起１１Ｄに対応して形成されている。従って、ホルダ１２は、第１の躯体１１に装着された状態で筋状の溝１２Ｃと筋状の突起１１Ｄが係合してコイルスプリング１４を介して弾力的に直進する。これらの筋状の突起１１Ｄ及び筋状の溝１２Ｃは、第１の躯体１１にホルダ１２を装着する時の位置決め機能も有している。
【００１７】
また、ホルダ１２の厚肉部１２Ｂには図１、図３に示すように孔１２Ｄが形成され、この孔１２Ｄに図１に示すようにプラグ５０を接続するためのボール１６が設けられている。この孔１２Ｄは、図３に示すようにホルダ１２の内周面から外周面に向けて徐々に縮径している。ボール１６は、図１に示すようにホルダ１２が初期状態にある時には第１の躯体１１の外周面に接すると共に一部がホルダ１２の孔１２Ｄから突出している。このボール１６は、第１の躯体１１の周面に形成された凹陥部１１Ｅ内に嵌り込み孔１２Ｄにおいてホルダ１２の周面から退没する。凹陥部１１Ｅは、初期状態でホルダ１２の孔１２Ｄから基端側に離間して形成されている。従って、ホルダ１２をコイルスプリング１４の付勢力に抗して基端側に押し込むと、ボール１６がホルダ１２の孔１２Ｄから凹陥部１１Ｅ内に退没する。
【００１８】
コイルスプリング１４は、図１に示すように、一端が第１の躯体１１のフランジ部１１Ｂの内側に形成された環状溝１１Ｆ（図２の（ａ）参照）内に嵌り込んで支持されていると共に他端がホルダ１２の先端で支持されている。
【００１９】
一方、プラグ５０は、図１に示すように、第１の躯体１１のピン孔１１Ａに対応する複数（本実施形態では３本）のピン５１Ａを有する第２の躯体５１と、第２の躯体５１の周面の基端部（図１の（ｂ）では右側）から３本のピン５１Ａの先端のやや前方まで延びる第２のシェル５２と、を備えている。第２のシェル５２は、内径がホルダ１２より僅かに大径に形成されていると共に外径が第１のシェル１３の内径より僅かに小径に形成され、プラグ５０を接続する時にホルダ１２と第１のシェル１３の隙間に挿入され、ピン５１Ａがピン孔１１Ａに挿着される。第２のシェル５２の先端近傍にはボール１６の上部が嵌入する孔５２Ａが形成され、ホルダ１２の周面から突出したボール１６が孔５２Ａに嵌入することで、プラグ５０がレセプタクルコネクタ１０に接続される。また、第２のシェル５２の内周面には図１の（ａ）、（ｂ）に示すように先端から基端側へ向かう筋状の溝５２Ｂが形成され、ホルダ１２の外周面には図３の（ｃ）に示すように筋状の溝５２Ｂに対応する筋状の突起１２Ｅが形成されている。プラグ５０をレセプタクルコネクタ１０に接続する時に、これらの筋状の溝５２Ｂと筋状の突起１２Ｅが位置決めの役割を果たす。
【００２０】
而して、レセプタクルコネクタ１０にはプラグ５０を接続する際に機能する第１、第２の保持機構１７、１８が設けられ、第２のシェル５２をホルダ１２と第１のシェル１３の隙間に押し込むだけで第１、第２の保持機構１７、１８が機能し、プラグ５０をレセプタクルコネクタ１０に簡単に接続することができ、また、プラグ５０を押し込むだけでレセプタクルコネクタ１０から抜き取ることができる。そこで、第１、第２の保持機構１７、１８について説明する。
【００２１】
第１の保持機構１７は、図１〜図３に示すように、ホルダ１２の厚肉部１２Ｂに形成された孔１２Ｄに出没可能に配置され且つプラグ５０に設けられた孔５２Ａに嵌入してプラグ５０をホルダ１２に接続するボール１６と、コイルスプリング１４に抗して摺動するホルダ１２の孔１２Ｄにおいてボール１６が退没するように第１の躯体１１の外周面に形成された凹陥部１１Ｅと、を備えている。従って、プラグ５０をコイルスプリング１４の付勢力に抗してホルダ１２に押し込むとホルダ１２の孔１２Ｄ内のボール１６が第１の躯体１１の凹陥部１１Ｅ内へ退没した後、ホルダ１２がコイルスプリング１４の付勢力で押し戻される際に凹陥部１２Ｄから出てプラグ５０の孔５２Ａ内に突出してプラグ５０がホルダ１２、つまりレセプタクルコネクタ１０に接続され、その状態を保持する。プラグ５０を抜き取る時には、プラグ５０を押し込みホルダ１２がコイルスプリング１４の付勢力に抗して摺動して孔１２Ｄから凹陥部１１Ｅ内に退没し、プラグ５０との接続が解除され、プラグ５０を抜き取ることができる。
【００２２】
第２の保持機構１８は、プラグ５０をホルダ１２と第１のシェル１３の間に挿入し、プラグ５０がレセプタクルコネクタ１０に接続される時に機能し、プラグ５０を接続できる状態、あるいは抜き取ることができる状態を保持する。即ち、第２の保持機構１８は、図１〜図６に示すように、ホルダ１２の厚肉部１２Ｂの段部端面から周方向に等間隔を空けて径方向に放射状に突出するように形成された複数（本実施形態では６個）の放射状突起部１９（図３、図４参照）と、ホルダ１２の厚肉部１２Ｂの段部から周方向に等間隔を空けて基端側に向けて突出し放射状突起部１９から周方向へ所定角度だけ僅かに偏倚させて形成された複数（本実施形態では２４個）の第１係合突起部２０（図３参照）と、第１の躯体１１のフランジ部１１Ｂとホルダ１２の第１係合突起部２０の間に回転自在に配置され第１係合突起部２０に周方向に傾斜して形成された傾斜面２０Ａと係合する複数（本実施形態では１２個）の第２係合突起部２１Ａを有する第１のリング２１（図１、図５参照）と、第１のシェル１３の内周面に第１、第２係合突起部２０、２１Ａの間に配置して固定され第２係合突起部２１Ａの周方向の傾斜面２１Ｂと係合して第１のリング２１を周方向に回転させる複数（本実施形態では１２個）の第３係合突起部２２Ａを有するリング状のブッシュ２２（図１、図６参照）と、を備えている。
【００２３】
また、ホルダ１２の基端部には第１のリング２１に隣接する第２のリング２３が軸芯に沿って摺動するように取り付けられ、第２のリング２３はコイルスプリング１４の付勢力によってホルダ１２と一体となって第１の躯体１１を移動して第１のリング２１をブッシュ２２に弾接させている。
【００２４】
第２の保持機構１８におけるホルダ１２、第１のリング２１、ブッシュ２２の関係を図１〜図８を参照しながら更に説明する。図１に示すように、第１の躯体１１ではホルダ１２の厚肉部１２Ｂに形成された放射状突起部１９はブッシュ２２から先端側に離間して配置され、ブッシュ２２がホルダ１２の第１係合突起部２０と第１のリング２１の第２係合突起部２１Ａの間に配置されている。
【００２５】
放射状突起部１９は、図４の（ａ）に示すようにホルダ１２の周方向に等間隔（周方向に６０°の間隔）を空けて６個形成され、第１係合突起部２０は、同図に示すように周方向に等間隔（１５°の間隔）を空けて２４個形成されている。放射状突起部１９は、同図の（ｂ）に示すように第１係合突起部２０から僅かな角度だけ周方向に位置ズレして配置されている。６個の放射状突起部１９の外径はブッシュ２２の外径より小径に形成されている。そして、第３係合突起部２２Ａ間の隙間２２Ｂには図６の（ａ）、（ｂ）に示すように周方向に６０°毎に切欠部２２Ｃが形成され、これらの切欠部２２Ｃの中心を放射状突起部１９が通るようになっている。各隙間は、第１係合突起部２０の周方向の幅より広く形成されている。２４個の第１係合突起部２０の外径は第３係合突起部２２Ａの内径より僅かに小さく形成されている。第１係合突起部２０の突出端面には図３の（ｂ）に示すように周方向に下降傾斜する傾斜面２０Ａが形成されている。
【００２６】
また、第１のリング２１の第２係合突起部２１Ａは、図５の（ａ）〜（ｃ）に示しようにリング本体２１Ｃに周方向に等間隔（３０°の間隔）を空けて１２個形成されている。第２係合突起部２１Ａは、図５の（ａ）〜（ｃ）に示すようにリング本体２１Ｃの外周面及び片面(図５の（ｂ）では上面)の双方から突出して形成され、同図の（ａ）、（ｃ）に示すように平面形状を見ればリング本体２１Ｃから放射状に突出している。これらの第２係合突起部２１Ａは、周方向幅がいずれも放射状突起部１９の幅よりも広く、ブッシュ２２の隣り合う第３係合突起部２２Ａ間に形成された隙間２２Ｂと略同一寸法に形成され、隙間２２Ｂに嵌入するようになっている。１２個の隙間２２Ｂのうち、半分の隙間２２Ｂには切欠部２２Ｃが形成され、残りの半分には先端側に底面２２Ｄが形成されている。つまり、図６の（ｂ）、（ｄ）に示すようにブッシュ２２では切欠部２２Ｃと底面２２Ｄが周方向に交互に形成されている。
【００２７】
また、１２個の第２係合突起部２１Ａは、これらを結ぶ外径がブッシュ２２の１２個の第３係合突起部２２Ａの外径と略同一寸法に形成されている。各第２係合突起部２１Ａは、それぞれの径方向幅が第３係合突起部２２Ａの径方向幅より広く形成されている。
【００２８】
従って、図１に示す状態では、コイルスプリング１４によってホルダ１２が常に先端側へ付勢されているため、第２のリング２３によって第１のリング２１が押圧されて第２係合突起部２１Ａがブッシュ２２の隙間２２Ｂ内に嵌入して底面２２Ｄに弾接し、第１係合突起部２０がブッシュ２２から先端側へ離間した位置にある。そこで、ブッシュ２２の隙間２２Ｂを嵌入溝２２Ｂと定義する。
【００２９】
また、第２、第３係合突起部２１Ａ、２２Ａそれぞれの突出端面には周方向へ下降傾斜する傾斜面２１Ｂ、２２Ｅが形成され、第２係合突起部２１Ａと第３係合突起部２２Ａは互いにそれぞれの傾斜面２１Ｂ、２２Ｅで係合するように構成されている。また、第２係合突起部２１Ａの傾斜面２１Ｂにはホルダ１２の第１係合突起部２０の傾斜面２０Ａが放射状突起部１９の内側で接触するようになっている。第３係合突起部２２Ａの傾斜面２２Ｅの周方向の長さは、第２係合突起部２１Ａの傾斜面２１Ｂの周方向の長さより長く形成され、傾斜面２１Ｂがコイルスプリング１４の付勢力で傾斜面２２Ｅに押圧されて摺動し、延いては第１のリング２１が傾斜方向へ回転するようになっている。
【００３０】
また、図６の（ｂ）に示すように第３係合突起部２２Ａの傾斜面２２Ｅの延長端には第２係合突起部２１Ａの摺動を止める係止部が形成されている。この係止部の突出端面には傾斜面２２Ｅと略同一傾斜角の傾斜面２２Ｆで形成され、この傾斜面２２Ｆは傾斜面２２Ｅより短く形成されている。傾斜面２２Ｅの上端と傾斜面２２Ｆの上端は同一高さになっている。傾斜面２２Ｆは、後述するように第２係合突起部２１Ａを嵌入溝２２Ｂへ誘導する機能を有している。
【００３１】
次に、図７、図８をも参照しながらレセプタクルコネクタ１０にプラグ５０を着脱する動作について説明する。
【００３２】
パネル（図示せず）に固定されたレセプタクルコネクタ１０は、図１に示すようにホルダ１２においてボール１６が孔１２Ｄから突出しており、放射状突起部１９がブッシュ２２から先端側に離間している。一方、コイルスプリング１４の付勢力で第１のリング２１は第２のリング２３を介してブッシュ２２に弾力的に接触している。この時、第１のリング２１の第２係合突起部２１Ａがブッシュ２２の嵌入溝２２Ｂの底面２２Ｄと弾接し、嵌入溝２２Ｂ内にある。
【００３３】
図１に示すレセプタクルコネクタ１０にプラグ５０を接続する時には、ホルダ１２に形成された筋状の突起１２Ｅにプラグ５０の第２のシェル５２に形成された筋状の溝５２Ｂを合わせ、第２のシェル５２をホルダ１２と第１のシェル１３の隙間に差し込む。すると、第２のシェル５２の先端がホルダ１２から突出するボール１６に当たり、その後はコイルスプリング１４の付勢力がプラグ５０にも作用する。プラグ５０をコイルスプリング１４の付勢力に抗してプラグ５０を差し込むとホルダ１２が第１の躯体１１を摺動し、ホルダ１２の放射状突起部１９がブッシュ２２の切欠部２２Ｃに進出する。
【００３４】
この時、切欠部２２Ｃには第１のリング２１の第２係合突起部２１Ａが切欠部２２Ｃ（切欠部２２は嵌入溝２２Ｂでもある）内にあるため、まず、第１係合突起部２０と第２係合突起部２１Ａがそれぞれの傾斜面２０Ａ、２１Ｂを介して接触し、第１のリング２１が基端側へ移動し、次いで、放射状突起部１９が切欠部２２Ｃ内へ進出する。放射状突起部１９が切欠部２２Ｃに進入した時点で、放射状突起部１９と第２係合突起部２１Ａはそれぞれの周方向幅の中心線が図７の（ａ）に示すように一致しているが、第１係合突起部２０は第２係合突起部２１Ａの右側に偏倚して接触している。放射状突起部１９がブッシュ２２の第３係合突起部２２Ａの傾斜面２２Ｅの上端に達するまで図７の（ａ）に示す状態にある。
【００３５】
放射状突起部１９の上端が図８の（ｂ）に示すように第３係合突起部２２Ａの傾斜面２２Ｅの上端に達すると第２係合突起部２１Ａは嵌入溝２２Ｂによる拘束がなくなる一方、第２係合突起部２１Ａがコイルスプリング１４の働きで第１係合突起部２０に弾力的に押圧されているため、第１のリング２１が傾斜面２０Ａに従って図７の（ａ）では時計方向へ、図８の（ｂ）では右方へ回転し、第３係合突起部２２Ａの傾斜面２２Ｅへ移動する。第２係合突起部２１Ａの傾斜面２１Ｂは第３係合突起部２２Ａの傾斜面２２Ｅより短いため、第１のリング２１はコイルスプリング１４の作用で傾斜面２２Ｅを摺動し、係止部まで回転して止まる。この時、ホルダ１２のボール１６が凹陥部１１Ｅ内に退没し、プラグ５０の第２のシェル５２がホルダ１２の孔１２Ｄを越えてホルダ１２の放射状突起部１９と接触すると共に第２のシェル５２の孔５２Ａがボール１６の真上に達する。
【００３６】
第１のリング２１の回転が係止部で止まった後、再度、プラグ５０をコイルスプリング１４の付勢力に抗して押し込むと、第１のリング２１が第１係合突起部２０と接触した状態で基端側へ移動し、第２係合突起部２１Ａの傾斜面２１Ｂが係止部から外れ、第１リング２１が上述した方向へ回転し、第２係合突起部２１Ａが係止部の傾斜面２２Ｆに誘導されて嵌入溝２２Ｂに達し、嵌入溝２２Ｂ内へ嵌入し底面２２Ｄまで先端側へ移動する。この時、ホルダ１２もコイルスプリング１４によって先端側へ移動するが、この間にボール１６が凹陥部１１Ｅから孔１２Ｄ内に戻ると共にプラグ５０の第１のシェル５２の孔５２Ａ内に突出してプラグ５０がホルダ１２、つまりレセプタクルコネクタ１０と接続される。
【００３７】
プラグ５０をレセプタクルコネクタ１０から抜き取る時には、プラグ５０をレセプタクルコネクタ１０内へ押し込むと、上述したように第１のリング２１の第２係合突起部２１Ａがブッシュ２２の嵌入溝２２Ｂから外れた瞬間に回転し、ブッシュ２２の第３係合突起部２２Ａの傾斜面２２Ｅ上で停止する。この時ボール１６がプラグ５０の第２のシェル５２Ａから退没し第１の躯体１１の凹陥部１１Ｅ内に入る。この状態で、再度プラグ５０を押し込み第２係合突起部２１Ａが係止部の傾斜面２２Ｆに誘導されて第２係合突起部２１Ａが嵌入溝２２Ｂに嵌入する時にはボール１６が凹陥部１１Ｅ内にあり、第２のシェル５２Ａから外れているため、プラグ５０をホルダ１２から簡単に抜き取ることができる。
【００３８】
以上説明したように本実施形態によれば、レセプタクルコネクタ１０は、プラグ５０の第２のシェル５２に形成された孔５２Ａにホルダ１２に形成された孔１２Ｄに設けられたボール１６を第１の躯体１１の外周面に形成された凹陥部１１Ｅを介して嵌入させてプラグ５０のホルダ１２への接続を保持する第１の保持機構１７と、第１の保持機構１７と連動してプラグ５０とホルダを接続、解除可能な状態に保持する第２の保持機構１８を備えているため、従来のレセプタクルコネクタのように一方の手でレバーを操作し、他方の手でプラグを着脱するという面倒な操作をすることなく、片手でプラグ５０をレセプタクルコネクタ１０のホルダ１２に押し込むだけで、レセプタクルコネクタ１０へのプラグ５０の接続、レセプタクルコネクタ１０からのプラグ５０の取り外しを簡単に行うことができると共にレセプタクルコネクタからのプラグの抜け止めを確実に行うことができる。
【００３９】
尚、本発明は上記実施形態に制限されるものではなく、必要に応じて各構成要素を設計変更することができる。
【符号の説明】
【００４０】
１０    レセプタクルコネクタ
１１    第１の躯体
１１Ａ  ピン孔
１１Ｅ  凹陥部
１２    ホルダ
１２Ａ  薄肉部
１２Ｂ  厚肉部
１２Ｄ  孔
１３    第１のシェル
１４    コイルスプリング
１６    ボール
１７    第１の保持機構
１８    第２の保持機構
１９    放射状突起部
２０    第１係合突起部
２０Ａ  傾斜面
２１    第１のリング
２１Ａ  第２係合突起部
２１Ｂ  傾斜面
２２    ブッシュ
２２Ａ  第３係合突起部
２２Ｂ  嵌入溝
２２Ｃ  切欠部
２２Ｅ  傾斜面
２２Ｆ  傾斜面
２３    第２のリング
５０    プラグ
５１    ピン
５２    第２のシェル
５２Ａ  孔
【図１】
2011222138.tif 000003
【図２】
2011222138.tif 000004
【図３】
2011222138.tif 000005
【図４】
2011222138.tif 000006
【図５】
2011222138.tif 000007
【図６】
2011222138.tif 000008
【図７】
2011222138.tif 000009
【図８】
2011222138.tif 000010
【図９】
2011222138.tif 000011